【手続補正書】
【提出日】平成17年2月1日(2005.2.1)
【手続補正１】
【補正対象書類名】明細書
【補正対象項目名】発明の名称
【補正方法】変更
【補正の内容】
【発明の名称】音楽情報送受信装置、受信装置及び記憶媒体
【手続補正２】
【補正対象書類名】明細書
【補正対象項目名】特許請求の範囲
【補正方法】変更
【補正の内容】
【特許請求の範囲】
【請求項１】
演奏上のイベントの内容を表すイベントデータに、該イベントデータを処理すべきタイミングを表す時間データが付加されてなる音楽情報を受信する受信手段と、
前記音楽情報のイベントデータを、当該イベントに付加された時間データに基づくタイミングで再生する再生手段と、
ユーザが行った演奏の内容を示すイベントデータを取得するイベントデータ取得手段と、
前記イベントデータ取得手段により取得されたイベントデータの処理すべきタイミングを表す時間データを、前記受信手段が受信した音楽情報中の時間データを基に生成する時間データ生成手段と、
前記時間データ生成手段が生成した時間データを前記イベントデータ取得手段が取得したイベントデータに付加し、前記音楽情報として送信させる送信手段と、
を具備したことを特徴とする音楽情報送受信装置。
【請求項２】
現時刻をカウントするステップと、
バッファに記憶されている音楽情報のイベントデータを、当該イベントに付加された時間データと前記カウントされた現時刻に基づくタイミングで再生するステップと、
演奏上のイベントの内容を表すイベントデータに、該イベントデータを処理すべきタイミングを表す時間データが付加されてなる音楽情報を受信して前記バッファに記憶するステップと、
前記受信されて記憶されたイベントデータが、最初に受信されたイベントデータである場合に、当該イベントデータに付加された時間データに基づいて、前記カウントされた現時刻を変更するステップと、
ユーザが行った演奏の内容を示すイベントデータを取得するステップと、
前記現時刻を前記取得されたイベントデータに付加し、前記音楽情報として送信させるステップと、
を有するプログラムを記録したコンピュータ読み取り可能な記録媒体。
【請求項３】
時間データの付加された音楽情報を送信可能な演奏装置、及び受信された音楽情報に基づいて再生を行う受信装置に接続され、
時間データが付加された音楽情報を記憶する記憶手段と、
現時刻をカウントする現時刻カウント手段と、
演奏時刻をカウントする演奏時刻カウント手段と、
前記記憶手段に記憶されている音楽情報を、当該音楽情報に付加された時間データと現時刻カウント手段でカウントされた現時刻とに基づいて決定されるタイミングで前記演奏装置に送信する第１の送信手段と、
前記演奏装置から送信された時間データの付加された音楽情報を受信する受信手段と、
前記受信手段にて受信された音楽情報を前記受信装置に送信する第２の送信手段と、
前記受信手段により最初に受信された音楽情報に付加された時間データに基づいて、前記演奏時刻カウント手段でカウントされる演奏時刻を変更する変更手段と、
前記記憶手段に記憶されている音楽情報を、当該音楽情報に付加された時間データと前記変更手段で変更された演奏時刻とに基づいて決定されるタイミングでかつ当該演奏時刻を付加して前記受信装置に送信する第3の送信手段と、
を具備したことを特徴とする送受信装置。
【請求項４】
時間データの付加された音楽情報を送信可能な演奏装置、及び受信された音楽情報に基づいて再生を行う受信装置に接続された送受信装置に適用されるプログラムを記憶した記憶媒体であって、
現時刻をカウントするステップと、
演奏時刻をカウントするステップと、
記憶手段に記憶されている時間データが付加された音楽情報を、当該音楽情報に付加された時間データとカウントされた現時刻とに基づいて決定されるタイミングで前記演奏装置に送信するステップと、
前記演奏装置から送信された時間データの付加された音楽情報を受信するステップと、
前記受信された音楽情報を前記受信装置に送信するステップと、
前記最初に受信された音楽情報に付加された時間データに基づいて、前記カウントされた演奏時刻を変更するステップと、
前記記憶手段に記憶されている音楽情報を、当該音楽情報に付加された時間データと前記変更された演奏時刻とに基づいて決定されるタイミングでかつ当該演奏時刻を付加して前記受信装置に送信するステップと、
を有するプログラムを記録したコンピュータ読み取り可能な記録媒体。
【請求項５】
現時刻をカウントする現時刻カウント手段と、
時間データが付加されてなる音楽情報を受信する受信手段と、
前記現時刻カウント手段によりカウントされた現時刻を、前記受信手段が最初に受信した音楽情報中の時間データを基に変更する変更手段と、
前記受信手段により受信された音楽情報を、当該音楽情報に付加された時間データと前記変更手段にて変更された現時刻とに基づいて決定されるタイミングで再生する再生手段と、
を具備することを特徴とする受信装置。
【請求項６】
現時刻をカウントするステップと、
前記受信された音楽情報を、当該音楽情報に付加された時間データと前記現時刻とに基づいて決定されるタイミングで再生するステップと、
時間データが付加されてなる音楽情報を受信するステップと、
前記受信された音楽情報が最初に受信した音楽情報である場合、当該最初に受信された音楽情報中の時間データを基に前記カウントされた現時刻を、変更するステップと、
を有するプログラムを記録したコンピュータ読み取り可能な記録媒体。
【手続補正３】
【補正対象書類名】明細書
【補正対象項目名】０００９
【補正方法】変更
【補正の内容】
【０００９】
【課題を解決するための手段】
本発明の音楽情報送受信装置は、演奏上のイベントの内容を表すイベントデータに、該イベントデータを処理すべきタイミングを表す時間データが付加されてなる音楽情報を受信する受信手段と、音楽情報のイベントデータを、当該イベントに付加された時間データに基づくタイミングで再生する再生手段と、ユーザが行った演奏の内容を示すイベントデータを取得するイベントデータ取得手段と、イベントデータ取得手段により取得されたイベントデータの処理すべきタイミングを表す時間データを、受信手段が受信した音楽情報中の時間データを基に生成する時間データ生成手段と、時間データ生成手段が生成した時間データを前記イベントデータ取得手段が取得したイベントデータに付加し、音楽情報として送信させる送信手段と、を具備する。
【手続補正４】
【補正対象書類名】明細書
【補正対象項目名】００１０
【補正方法】変更
【補正の内容】
【００１０】
また本発明の音楽情報送受信装置は、時間データの付加された音楽情報を送信可能な演奏装置、及び受信された音楽情報に基づいて再生を行う受信装置に接続され、時間データが付加された音楽情報を記憶する記憶手段と、現時刻をカウントする現時刻カウント手段と、演奏時刻をカウントする演奏時刻カウント手段と、記憶手段に記憶されている音楽情報を、当該音楽情報に付加された時間データと現時刻カウント手段でカウントされた現時刻とに基づいて決定されるタイミングで演奏装置に送信する第１の送信手段と、演奏装置から送信された時間データの付加された音楽情報を受信する受信手段と、受信手段にて受信された音楽情報を受信装置に送信する第２の送信手段と、受信手段により最初に受信された音楽情報に付加された時間データに基づいて、演奏時刻カウント手段でカウントされる演奏時刻を変更する変更手段と、記憶手段に記憶されている音楽情報を、当該音楽情報に付加された時間データと変更手段で変更された演奏時刻とに基づいて決定されるタイミングでかつ当該演奏時刻を付加して前記受信装置に送信する第3の送信手段と、を具備とする。
【手続補正５】
【補正対象書類名】明細書
【補正対象項目名】００１１
【補正方法】変更
【補正の内容】
【００１１】
さらに本発明の受信装置は、現時刻をカウントする現時刻カウント手段と、時間データが付加されてなる音楽情報を受信する受信手段と、現時刻カウント手段によりカウントされた現時刻を、受信手段が最初に受信した音楽情報中の時間データを基に変更する変更手段と、受信手段により受信された音楽情報を、当該音楽情報に付加された時間データと変更手段にて変更された現時刻とに基づいて決定されるタイミングで再生する再生手段と、を具備する。
【手続補正６】
【補正対象書類名】明細書
【補正対象項目名】００１２
【補正方法】変更
【補正の内容】
【００１２】
本発明の記録媒体は、現時刻をカウントするステップと、バッファに記憶されている音楽情報のイベントデータを、当該イベントに付加された時間データと前記カウントされた現時刻に基づくタイミングで再生するステップと、演奏上のイベントの内容を表すイベントデータに、該イベントデータを処理すべきタイミングを表す時間データが付加されてなる音楽情報を受信してバッファに記憶するステップと、受信されて記憶されたイベントデータが、最初に受信されたイベントデータである場合に、当該イベントデータに付加された時間データに基づいて、カウントされた現時刻を変更するステップと、ユーザが行った演奏の内容を示すイベントデータを取得するステップと、現時刻を前記取得されたイベントデータに付加し、音楽情報として送信させるステップと、を有するプログラムを記録している。
【手続補正７】
【補正対象書類名】明細書
【補正対象項目名】００１３
【補正方法】変更
【補正の内容】
【００１３】
また本発明の記録媒体は、時間データの付加された音楽情報を送信可能な演奏装置、及び受信された音楽情報に基づいて再生を行う受信装置に接続された送受信装置に適用されるプログラムを記憶した記憶媒体であって、現時刻をカウントするステップと、演奏時刻をカウントするステップと、記憶手段に記憶されている時間データが付加された音楽情報を、当該音楽情報に付加された時間データとカウントされた現時刻とに基づいて決定されるタイミングで演奏装置に送信するステップと、演奏装置から送信された時間データの付加された音楽情報を受信するステップと、受信された音楽情報を受信装置に送信するステップと、最初に受信された音楽情報に付加された時間データに基づいて、カウントされた演奏時刻を変更するステップと、記憶手段に記憶されている音楽情報を、当該音楽情報に付加された時間データと前記変更された演奏時刻とに基づいて決定されるタイミングでかつ当該演奏時刻を付加して前記受信装置に送信するステップと、を有するプログラムを記録している。
【手続補正８】
【補正対象書類名】明細書
【補正対象項目名】００１４
【補正方法】変更
【補正の内容】
【００１４】
さらに本発明の記録媒体は、現時刻をカウントするステップと、受信された音楽情報を、当該音楽情報に付加された時間データと現時刻とに基づいて決定されるタイミングで再生するステップと、時間データが付加されてなる音楽情報を受信するステップと、受信された音楽情報が最初に受信した音楽情報である場合、当該最初に受信された音楽情報中の時間データを基に前記カウントされた現時刻を、変更するステップと、を有するプログラムを記録している。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】０２８２
【補正方法】変更
【補正の内容】
【０２８２】
【発明の効果】
以上説明したように、本発明は、例えばパート別に音楽情報を分けて送信するといったように、複数の外部装置に送信する音楽情報の内容を外部装置単位で異ならせつつ、音楽情報をそれが有する時間データで指定されるタイミングに基づいて送信する。このため、ユーザは音楽情報を受信させる各装置（それを搭載した装置）をより所望する形で使用することができる。
【手続補正２２】
【補正対象書類名】明細書
【補正対象項目名】０２８３
【補正方法】削除
【補正の内容】
【手続補正２３】
【補正対象書類名】明細書
【補正対象項目名】０２８４
【補正方法】削除
【補正の内容】
【手続補正２４】
【補正対象書類名】明細書
【補正対象項目名】０２８５
【補正方法】削除
【補正の内容】